(57)【要約】【課題】ユーザがいつでも自分自身で設定を変更可能であると共に、設定を必要としない状況下では不用意に誤設定することも無い交換レンズを提供する。【解決手段】請求項１の発明による交換レンズは、レンズ鏡筒に設けられる操作環と、操作環とレンズ鏡筒との少なくとも一方の外周を覆うように、可塑性材料により形成されるカバー部材と、カバー部材に覆われる位置に配置され、カバー部材に覆われる状態では操作が禁止され、カバー部材を捲った状態では操作可能となるカスタムスイッチとを具備することを特徴とする。請求項２の発明による交換レンズは、請求項１において、操作環が、ズーム環であることを特徴とする。請求項３の発明による交換レンズは、請求項１において、操作環が、フォーカス環であることを特徴とする。。【選択図】　　　図１
2004070237.tif 000002
【特許請求の範囲】
【請求項１】
レンズ鏡筒に設けられる操作環と、
前記操作環と前記レンズ鏡筒との少なくとも一方の外周を覆うように、可塑性材料により形成されるカバー部材と、
前記カバー部材に覆われる位置に配置され、前記カバー部材に覆われる状態では操作が禁止され、前記カバー部材を捲った状態では操作可能となるカスタムスイッチとを具備することを特徴とする交換レンズ。
【請求項２】
前記操作環が、ズーム環であることを特徴とする請求項１に記載の交換レンズ。
【請求項３】
前記操作環が、フォーカス環であることを特徴とする請求項１に記載の交換レンズ。
【請求項４】
前記カスタムスイッチが、前記交換レンズに設けられた他の操作部材の割付機能選択と前記交換レンズの駆動条件設定との少なくとも一方を行うことを特徴とする請求項１に記載の交換レンズ。
【請求項５】
前記操作部材は、前記交換レンズの合焦動作の開始を指示する機能と合焦状態の保持指示機能のいずれか一方を選択する操作と、前記合焦時の駆動速度を設定する操作との少なくとも一方を行うことを特徴とする請求項４に記載の交換レンズ。
【発明の詳細な説明】
【０００１】
【発明の属する技術分野】
本発明は、スチルカメラに最適な交換レンズに関する。
【０００２】
【従来の技術】
従来、交換レンズにおけるカスタムセッティングスイッチの配置に関しては、ユーザが容易に操作可能な位置に配置されているものや、サービス機関などにおける分解や器具を使ってのみセッティング可能なもの等があった。
【０００３】
【発明が解決しようとする課題】
カスタムセッティングは、通常はユーザの好みを反映するものであり、各ユーザによって設定はー旦決定された後は変更されない場合が多い。
【０００４】
しかしながら、ユーザが容易に操作可能な位置に配置されているものでは、容易に操作可能な点は良いが、このとき、スイッチが容易に操作可能になっていると、不用意にスイッチに触れて設定が変わることにより不具合が生じてしまうことがある。
【０００５】
また、サービス機関などにおける分解や器具を使ってのみセッティング可能なものでは、ユーザが不用意に設定変更してしまう不具合は解消されるが、初めに設定する場合や後から設定を変えたい場合等に不便である。
【０００６】
本発明は、上記の問題点に鑑みてなされたもので、ユーザがいつでも自分自身で設定を変更可能であると共に、設定を必要としない状況下では不用意に誤設定することも無い交換レンズを提供することを目的とする。
【０００７】
【課題を解決するための手段】
この目的を達成するために、請求項１の発明による交換レンズは、レンズ鏡筒に設けられる操作環と、操作環とレンズ鏡筒との少なくとも一方の外周を覆うように、可塑性材料により形成されるカバー部材と、カバー部材に覆われる位置に配置され、カバー部材に覆われる状態では操作が禁止され、カバー部材を捲った状態では操作可能となるカスタムスイッチとを具備することを特徴とする。
【０００８】
請求項２の発明による交換レンズは、請求項１において、操作環が、ズーム環であることを特徴とする。
【０００９】
請求項３の発明による交換レンズは、請求項１において、操作環が、フォーカス環であることを特徴とする。
【００１０】
請求項４の発明による交換レンズは、請求項１において、カスタムスイッチが、交換レンズに設けられた他の操作部材の割付機能選択と交換レンズの駆動条件設定との少なくとも一方を行うことを特徴とする。
【００１１】
請求項５の発明による交換レンズは、請求項４において、操作部材は、交換レンズの合焦動作の開始を指示する機能と合焦状態の保持指示機能のいずれか一方を選択する操作と、合焦時の駆動速度を設定する操作との少なくとも一方を行うことを特徴とする。
【００１２】
【発明の実施の形態】
以下、本発明の実施の形態を図面に基づいて説明する。
【００１３】
図１は、本発明による交換レンズの一実施形態を示す側面図である。
【００１４】
図１において、交換レンズ１０にはフォーカス環１１とズーム環１３が回転可能に装備されており、フォーカス環１１にはフォーカス環ゴム１２が巻き付けられ、ズーム環１３にはズーム環ゴム１４が巻き付けられている。
【００１５】
ズーム環ゴム１４を捲ると、ズーム環ゴム１４の下にはカスタムセッティングスイッチ１５が操作可能状態で露出する。通常は、図３に示すように、カスタムセッティングスイッチ１５はズーム環ゴム１４によって覆われている。
【００１６】
交換レンズ１０の中央部には、フォーカスロックスイッチ１６が配置されており、レンズ側でフォーカスロックが可能である。また、本実施形態における交換レンズ１０は、カスタムセッティングによりユーザが好みでフォーカスロックスイッチ１６の機能を以下に変更可能である。以下、カスタムセッティングについて具体的に動作を説明する。
【００１７】
ユーザがカスタムセッティングを所望する際には、ズーム環ゴム１４を捲ってカスタムセッティングスイッチ１５が操作可能状態に露出させる。スイッチ１５は、図２に拡大して示すように、「１」位置がノーマル（フォーカスロック機能）で、「２」の位置がＡＦスタート機能になっている。ＡＦスタート機能とは、レンズ側でスイッチを押すと、ＡＦが開始されるという機能であり、ボディ側の半押しと同等の機能である。ユーザによってはレンズ側はピント合わせに徹し、ボディ側でレリーズという使い分けを好む場合もあり、このようにカスタムセッティング対応となっている。
【００１８】
ＡＦスタート機能のカスタムセットを所望するユーザは、スイッチ１５を「１」位置から「２」位置にセットする。この設定により不図示の電気回路を通して、フォーカスロックスイッチ１６の機能が「ＡＦスタート」に切り替わる。設定を所望の機能に切り換えたユーザはズーム環ゴム１４を元に戻す（図３の状態）。その後、カスタムセッティングスイッチ１５にはズーム環ゴム１４が被ったままとなるので、ユーザが不用意にスイッチ１５に触れることは無く、従って設定も変わらず快適な撮影環境がいつでも得られる。
【００１９】
なお、カスタムセッティングスイッチ１５は、ズーム環１３に埋設されていても良く、また貼付されていても良い。また、カスタムセッティングスイッチ１５は、フォーカス環１１に設けられ（埋設または貼付）、フォーカス環ゴム１２によって覆われていても良い。更に、フォーカス環１１とズーム環１３の両方に設けられ、それぞれフォーカス環ゴム１２またはズーム環ゴム１４によって覆われていても良い。
【００２０】
【発明の効果】
以上のように、本発明の交換レンズによれば、操作環上のカバー部材に覆われる位置にカスタムスイッチが配置されているため、ユーザがいつでも自分自身で設定を変更可能であるという簡便さに加え、設定を必要としない状況下ではカバー部材に隠れているので、不用意に誤設定することも無く、また外観的にもカスタムスイッチが見えないのですっきりしたデザインが得られる。また、カスタムスイッチがゴムに保護されるため、カスタムスイッチの防塵・防滴設計を簡略化出来たり、外観に現れないスイッチが故に塗装等の外観処理をコストダウンできるというメリットがある。
【図面の簡単な説明】
【図１】本発明による交換レンズの一実施形態を示す側面図である。
【図２】本発明による交換レンズの一実施形態を示す部分拡大図である。
【図３】本発明による交換レンズの一実施形態を示す側面図である。
【符号の説明】
１０　　交換レンズ
１１　　フォーカス環
１２　　フォーカス環ゴム
１３　　ズーム環
１４　　ズーム環ゴム
１５　　カスタムセッティングスイッチ
１６　　フォーカスロックスイッチ
【図１】
2004070237.tif 000003
【図２】
2004070237.tif 000004
【図３】
2004070237.tif 000005